(57)【要約】      （修正有）【課題】針が壁面から抜け難い画鋲を提供する。【解決手段】頭部１と、複数針２を有する針部３とを備え、頭部１は一方面に平面部１０を有しており、各針２は、胴部２０と、先端部２４とを有し、頭部１の平面部１０から平面部１０に対して垂直に密接して立設されており、各針の胴部２０は角柱状であり、各針２の先端部２４は三つの平面２１，２２，２３からなる先鋭状であり、前記先鋭状は、正三角錐形状が、正三角錐形状の長手方向の中心軸線と、胴部２０の長手方向の中心軸線とが一致した位置から、正三角錐形状の頂点と、胴部２０の角部とが一致したまま、所定の方向に傾斜したものであり、前記所定の方向とは、頂点を含む正三角錐形状の稜線と、角部を含む胴部２０の辺とがなす角が大きくなる方向であり、前記傾斜により、前記角の角度は所定の角度だけ増分することを特徴とする鋲１００。【選択図】図１
2020179634.tif 000002
【特許請求の範囲】
【請求項１】
頭部と、複数針を有する針部とを備え、前記頭部は一方面に平面部を有しており、各前記針は、胴部と、先端部とを有し、前記頭部の平面部から前記平面部に対して垂直に密接して立設されており、各前記針の胴部は角柱状であり、各前記針の先端部は三つの平面からなる先鋭状であり、前記先鋭状は、正三角錐形状が、前記正三角錐形状の長手方向の中心軸線と、前記胴部の長手方向の中心軸線とが一致した位置から、前記正三角錐形状のひとつの頂点と、前記胴部のひとつの角部とが一致したまま、所定の方向に傾斜したものであり、前記所定の方向とは、前記頂点を含む前記正三角錐形状の稜線と、前記角部を有する前記胴部の辺とがなす角が大きくなる方向であり、前記傾斜により、前記角の角度は所定の角度だけ増分することを特徴とする鋲。
【請求項２】
請求項１の鋲であって、前記角の角度の増分が０度より大きく１７．６度未満であることを特徴とする鋲。
【請求項３】
請求項１の鋲であって、前記正三角錐形状が正四面体であり、前記正三角錐形状における正三角形状の側面の底角が５３度以上で、７０．５度以下であることを特徴とする鋲。
【発明の詳細な説明】
【技術分野】
【０００１】
本発明は、鋲に関する。
【背景技術】
【０００２】
従来、物品を固定するため、針部が壁面等に差し込まれて使用される鋲は、針部が壁面から抜け難いことが求められていた。
特許文献１には、円盤に複数本の針が設けられ、針が壁面内で拡開される画鋲の発明が記されているが、当該発明は針が壁面内で湾曲するため、針の基端部における十分な拡開は難しかった。
【先行技術文献】
【特許文献】
【０００３】
【特許文献１】特開２００３−２２６０９７号公報
【発明の概要】
【発明が解決しようとする課題】
【０００４】
上記実情である、針の基端部における十分な拡開が難しいために針が壁面から抜け易いことに鑑み、本発明は、針の基端部が十分に拡開し、針が壁面から抜け難い鋲の提供を目的とする。
【課題を解決するための手段】
【０００５】
本発明のうち請求項１の鋲は、頭部と、複数針を有する針部とを備え、前記頭部は一方面に平面部を有しており、各前記針は、胴部と、先端部とを有し、前記頭部の平面部から前記平面部に対して垂直に密接して立設されており、各前記針の胴部は角柱状であり、各前記針の先端部は、三つの平面からなる先鋭状であり、前記先鋭状は、正三角錐形状が、前記正三角錐形状の長手方向の中心軸線と、前記胴部の長手方向の中心軸線とが一致した位置から、前記正三角錐形状の頂点のひとつと、前記胴部の角部のひとつとが一致したまま、所定の方向に傾斜したものであり、前記所定の方向とは、前記頂点を含む前記正三角錐形状の稜線と、前記角部を含む前記胴部の辺とがなす角が大きくなる方向であり、前記傾斜により、前記角の角度は所定の角度だけ増分することを特徴とする。
【０００６】
本発明のうち請求項２の鋲は、前記請求項１の鋲であって、前記角の角度の増分が０度より大きく１７．６度未満であることを特徴とする。
ことを特徴とする。
【０００７】
本発明のうち請求項３の鋲は、前記請求項１の鋲であって、前記正三角錐形状が正四面体であり、前記正三角錐形状における正三角形状の側面の底角が５３度以上で、７０．５度以下であることを特徴とする。
【発明の効果】
【０００８】
本発明のうち請求項１乃至３のいずれか１項に記載の発明によれば、鋲は、頭部と、複数針を有する針部とを備え、各針の先端部は、三つの平面からなる先鋭状であり、前記先鋭状は、正三角錐形状を、所定の方向に傾斜させたものであるので、針部が有する各針は、壁面に差し込まれた際、それぞれ、壁面内を壁面に対して略垂直に直進し、壁面に対して略垂直で、壁面に直交する方向で僅かな幅であり、壁面に平行な方向で針と同一幅である壁面挿入空間を形成し、前記形成の後、各針は、それぞれ、壁面からの力を受けて撓り、頭部１の上下方向の中心軸線から離れる方向に斜めに傾き壁面内を直進する。前記傾きの方向は、頭部の上下方向の中心軸線に直交し、かつ、壁面と平行である基準軸と、針の先端部の長手方向の中心軸線とがなす鋭角の角が、所定の角度を有する方向である。よって、針部は壁面内で先端から基端部まで拡開される。したがって、本発明の鋲は、針の基端部を十分に拡開させ、針を壁面から抜け難くさせることができる。
【図面の簡単な説明】
【０００９】
【図１】本願発明の実施の形態に係る鋲の、（ａ）は斜視図、（ｂ）は針部の先端の拡大図、（ｃ）は１本の針の先端部の拡大図である。
【図２】本願発明の実施の形態に係る鋲の、（ａ）は平面図、（ｂ）は側面図である。
【図３】本願発明の実施の形態に係る針の先端部の形状の説明図である。
【図４】本願発明の実施の形態に係る針が壁面内に差し込まれた際の動きの説明図である。
【発明を実施するための形態】
【００１０】
以下、本発明の実施形態を図面に基づいて説明する。以下において上下とは図２（ｂ）に示される通りとする。本発明の鋲の使用場所や用途は特に限定されるものではないが、本実施形態に係る鋲は壁面へのポスター等の貼付に使用されるものであり、図１に示されるように、頭部１と、３本の針２，２，２を有する針部３とで構成される。頭部１と針部３とは一体であり、針部３の基端部３０の下端が頭部１の内部に隠蔽されている。また、針部３は弾性を有するものであり、金属材料又は樹脂材料等からなる。頭部１と針部３は同一の金属板又は樹脂板から製造される。
【００１１】
頭部１は、図２に示される通り、平面視略円形、側面視略楕円形をなす。頭部１は、一方面に平面部１０を有する。頭部１の平面部１０の中央から、針２，２，２が、前記平面部１０に対して垂直に密接して立設されている。
【００１２】
針部３の針２，２，２は、図１（ｂ）及び（ｃ）に示される通り、それぞれ、胴部２０と、先端部２４とを有し、先端部２４は、内側面２１と、外側面２２，２３とからなる先鋭状である。胴部２０は、針２の先端部２４よりも下方から、針２の基端までの部分であり、角柱状である。内側面２１と、外側面２２，２３は、平面であり、それぞれ略矩形状をなす。
【００１３】
次に、針２の先端部２４の形状について説明する。針２の先端部２４は先鋭状であり、前記先鋭状は、図３（ａ）に示される、三角形状の側面Ｓ１，Ｓ２，Ｓ３を有し底面Ｓ４が正三角形状である正三角錐形状Ｔを、所定の方向に、所定の角度を増分させて傾斜させたものである。以降の前記正三角錐形状Ｔの傾斜の説明においてと、図３（ａ）（ｂ）（ｃ）においては、説明の平易化を意図して、針２の胴部２０を、針２の先端部２４と別体の矩形柱として記している。本来の実施形態では、前記針２の胴部２０は、図１、図２、図３（ｄ）及び図４のように、針２の先端部２４と一体である。
【００１４】
前記先鋭状は、図３（ａ）に示される通り、正三角錐形状Ｔを、前記正三角錐形状Ｔの長手方向の中心軸線ＣＴと、前記胴部２０の長手方向の中心軸線Ｃ２とが一致した位置から、図３（ｂ）に示される通り、前記正三角錐形状Ｔの頂点Ｖ２と、前記胴部２０の角部２０ｃとが一致したまま、前記所定の方向に傾斜させたものである。言い換えると、前記先鋭状は、図３（ａ）（ｂ）に示される通り、前記正三角錐形状Ｔの底面Ｓ４の頂点Ｖ２を含む垂線ＰＴと直交し、かつ、前記正三角錐形状Ｔの頂点Ｖ２を含む軸線である、軸線Ｒ０の軸回りに、前記正三角錐形状Ｔを前記所定の方向に、前記所定の角度の増分だけ回動させたものである。
【００１５】
前記所定の方向とは、図３（ａ）（ｂ）に示される通り、前記頂点Ｖ２を含む前記正三角錐形状Ｔの稜線ＬＴと、前記角部２０ｃを含む前記胴部２０の辺Ｌ２０ｃとのなす角θが大きくなる方向である。前記所定の角度の増分とは、前記正三角錐形状Ｔの傾斜又は回動の前後における、前記角θの増分の角度であり、前記増分の角度は０度よりも大きく、１７．６度未満である。前記増分の角度が１７．６度以上のとき、針２は壁面内で湾曲して拡開することとなる。
【００１６】
一方、図３（ｃ）は、前記正三角錐形状Ｔの傾斜又は回動の前後を平面視したものである。前記傾斜又は前記回動の前後とも、正三角錐形状Ｔの頂点Ｖ２と、針２の胴部２０の角部２０ｃとは、平面視して重なっており、正三角錐形状Ｔの頂点Ｖ４は、正三角錐形状Ｔの稜線ＬＴと、平面視して重なっている。
【００１７】
ここまで説明の平易化を意図して、針２の胴部２０を、針２の先端部２４と別体の矩形柱として記したが、本来の実施形態では、図３（ｄ）に示される通り、前記針２の胴部２０は、針２の先端部２４と一体である。図３（ｄ）に示される通り、内側面２１は、前記正三角錐形状Ｔの傾斜又は回動後の三角形状の側面Ｓ１と面一である。同様に、図３（ｄ）に示される通り、外側面２２，２３は、それぞれ、前記正三角錐形状Ｔの傾斜又は回動後の三角形状の側面Ｓ２，Ｓ３と面一である。
【００１８】
続いて、針部３が壁面に差し込まれた際の針２の動きについて説明する。ここでは、天井の壁面Ｗへ上向きに針２が差し込まれるとして記す。針２同士は、図４（ａ）に示される通り、それぞれの胴部２０の角部２０ａにおいて接するように立設されている。
【００１９】
まず、壁面Ｗ内から針２の先端部２４に加わる力について説明する。図４（ｂ）に示される通り、針２を平面視すると、壁面Ｗ内から、内側面２１に加わる力Ｐ１と、外側面２２，２３に加わる力Ｐ２，Ｐ３とのなす角度はそれぞれ１２０度である。ただし、図４における、力を意味する各矢印は、説明の平易化のためのものであり、力の大きさ及び方向を大まかに表したものである。
【００２０】
図４（ｂ）をもとに、針２の平面視における、壁面Ｗ内から針２の先端部２４に加わる力について説明する。平面視で、前記力Ｐ２のうち、前記力Ｐ１の方向と平行な方向の分は力Ｐ２１であり、前記力Ｐ１の方向と直交し、かつ、前記力Ｐ３と平行な方向の成分は力Ｐ２３である。同様に、平面視で、前記力Ｐ３のうち、前記力Ｐ１の方向と平行な方向の成分は力Ｐ３１であり、前記力Ｐ１の方向と直交し、かつ、前記力Ｐ２と平行な方向の成分は力Ｐ３２である。平面視で、前記力Ｐ２３と、前記力Ｐ３２とは釣り合いの関係にある。
【００２１】
一方、針２の側面視においては、図４（ｃ）に示される通り、壁面Ｗ内から、内側面２１に加わる力Ｐ１は、やや下向きであり、外側面２２，２３に加わる力Ｐ２，Ｐ３は略水平である。
【００２２】
次に、針２が壁面Ｗに差し込まれたときの、針２から壁面Ｗ内に加わる力、及び、針２の壁面Ｗ内での動きについて説明する。図４（ｄ）に示される通り、針２が壁面Ｗに対し垂直に差し込まれると、針２から、針２が壁面Ｗに差し込まれる力Ｐ０が、壁面Ｗ内に加えられる。よって、針２は壁面Ｗ内を壁面Ｗに対して垂直に直進する。前記針２の直進により、壁面Ｗには壁面挿入空間ＳＰが形成される。壁面挿入空間ＳＰは、壁面Ｗに対して直交する方向で僅かな幅を有し、壁面Ｗに平行な方向で針２と同一幅を有する空間である。
【００２３】
前記壁面挿入空間ＳＰが形成された後の、針２の壁面Ｗ内での動きについて説明する。図４（ｅ）（ｆ）に示される通り、前記壁面挿入空間ＳＰが形成された後、針２は、壁面Ｗ内からの力を受けて撓り、頭部１の上下方向の中心軸線Ｃ１から離れる方向に斜めに傾き、すなわち、頭部１の上下方向の中心軸線Ｃ１と直交し、かつ壁面Ｗと平行である基準軸ＲＷと、針２の胴部２０の先端側長手方向の中心軸線Ｃ２４とがなす鋭角の角γが所定の角度を有することとなり、針２は、前記所定の角度を有した方向Ｄの方向に壁面Ｗ内を直進する。よって、各針２，２，２は放射状に広がり、針部３は拡開される。前記角γの前記所定の角度は０度より大きく、７２．４度より小さい。角γの前記所定の角度が７２．４度以上のとき、各針２，２，２の放射状の広がりが小さいこととなり、すなわち、針部３の拡開が小さいために針２は抜け易くなる。
【００２４】
前記壁面挿入空間ＳＰが形成された後の、針２の壁面Ｗ内での動きについて、さらに説明するため、前記壁面挿入空間ＳＰが形成された後の、壁面Ｗ内から針２に加わる力、及び、針２から壁面Ｗ内に加わる力について記す。図４（ｅ）に示される通り、針２の側面視において、前記針２が壁面Ｗに差し込まれる力Ｐ０のうち、前記針２の胴部２０の先端側長手方向の中心軸線Ｃ２４と同一方向の成分は力Ｐ０２で、前記力Ｐ０２と直交する方向の成分は力Ｐ００である。前記力Ｐ０１は、前記針２の先端部２４に加わる壁面からの力のうち、前記力Ｐ０１と同一方向の成分である力Ｐ２４と釣り合う。ここでは一側面の側面視のみの図及び説明しか記していないが、他側面の側面視においても同様に、前記力Ｐ０１は、前記針２に加わる壁面からの力のうち、前記力Ｐ０１と同一方向の成分の力と釣り合う。前記釣り合いの結果、前記中心軸線Ｃ２４と平行な方向の成分の力Ｐ０２が残り、針２は、前記中心軸線Ｃ２４と平行な方向、すなわち、前記方向Ｄの方向に壁面Ｗ内を直進する。
【００２５】
このように構成した本実施形態の鋲１００によれば、針部３が有する各針２，２，２は、壁面内に差し込まれた際、それぞれ、壁面内を壁面Ｗに対して垂直に直進し、前記直進の結果、壁面Ｗに対して直交する方向で僅かな幅であり、壁面Ｗに平行な方向で針２と幅が同一である壁面挿入空間ＳＰ，ＳＰ，ＳＰが形成され、前記形成後、各針２，２，２は、それぞれ、壁面内からの力を受けて撓り、頭部１の上下方向の中心軸線Ｃ１から離れる方向に斜めに傾き、すなわち、頭部１の上下方向の中心軸線Ｃ１と直交し、かつ壁面Ｗと平行である基準軸ＲＷと、針２の胴部２０の先端側長手方向の中心軸線Ｃ２４とがなす鋭角の角γが所定の角度を有することとなり、各針２，２，２は、前記所定の角度を有した方向Ｄ，Ｄ，Ｄへ壁面内を直進する。よって、針部３は壁面内で先端から基端部３０まで拡開される。したがって、本発明の鋲１００は、針部３が壁面等に差し込まれるのみで、針部３の基端部３０が十分に拡開され、針部３を壁面から抜け難くさせることができる。また、各針２，２，２が差し込まれた際に形成される壁面挿入空間ＳＰ，ＳＰ，ＳＰは近接しているため、壁面Ｗに開けられた孔はほぼ同じ位置となり、壁面Ｗに開けられる孔が一か所で済むので、意匠性に優れる。
【００２６】
正三角錐形状Ｔが正四面体のとき、図３に示される、三角形状である側面Ｓ１，Ｓ２，Ｓ３の底角αは５３度以上、７０．５度以下であることが望ましい。前記角αの角度が５３度未満のとき、針２の先端の鋭さが不足し、針２は壁面へ差し込みされ難くなる。一方、前記角αの角度が７０．５度よりも大きいとき、針２の先端が過剰に先鋭状となり、壁面内で拡開され難くなる。一方、正三角錐形状Ｔが正四面体ではないとき、三角形状である側面Ｓ１，Ｓ２，Ｓ３の底角は、針２の全長に対する、正三角錐形状Ｔの底面と頂点Ｖ４間の長さによって、望ましい角度が定まる。
【００２７】
本発明は、上記の実施形態に限定されず、特許請求の範囲内であれば、適宜変更することができる。針は、例えば平面視略三角形でもよい。針の本数は、２本または４本以上でもよい。針同士の接し方は、例えば短手方向で接して立設されていてもよく、また、接していなくてもよい。頭部は、例えばフックが設けられた形状でもよい。頭部と針部の基端部とは、例えば溶接等により一体化されていてもよい。
【符号の説明】
【００２８】
１００              鋲
１                  頭部
１０                平面部
２                  針
２０                胴部
２０ｃ              角部
Ｌ２０ｃ            辺
２１                内側面（平面）
２２，２３          外側面（平面）
２４                先端部
３                  針部
Ｔ                  正三角錐形状
Ｖ２                頂点
ＬＴ                稜線
ＣＴ、Ｃ２          中心軸線
θ                  角
Ｓ１、Ｓ２、Ｓ３    側面
α                  底角
【図１】
2020179634.tif 000003
【図２】
2020179634.tif 000004
【図３】
2020179634.tif 000005
【図４】
2020179634.tif 000006